(57)【特許請求の範囲】
【請求項１】
表示する番組表画面を示す映像信号を出力するものであって、前記番組表画面の一部の領域と同期する同期画面が他の機器によって表示される場合には、前記同期画面と同期する前記領域を示す画面の映像信号を出力する表示制御部と、
前記同期画面と同期する前記領域に関する情報を前記他の機器に送信する送信部とを備え、
前記領域の移動指示を受け付けた場合、
前記表示制御部は、前記移動指示により移動した前記領域を示す画面の映像信号を出力し、
前記送信部は、前記移動指示により移動した前記領域に関する情報を前記他の機器に送信することを特徴とするデジタル放送受信装置。
【請求項２】
前記他の機器から、当該他の機器で表示中の前記同期画面に対する操作情報を前記移動指示として取得する取得部を備え、
前記表示制御部は、前記取得部が取得した前記操作情報に基づいて、移動した前記領域を示す画面の映像信号を出力することを特徴とする請求項１記載のデジタル放送受信装置。
【請求項３】
前記表示制御部は、前記同期画面と同期する前記領域を枠で囲んで示す画面の映像信号を出力することを特徴とする請求項１記載のデジタル放送受信装置。
【請求項４】
表示する番組表画面を示す映像信号を出力するものであって、前記番組表画面の一部の領域と同期する同期画面が他の機器によって表示される場合には、前記同期画面と同期する前記領域を示す画面の映像信号を出力する表示制御部と、
前記同期画面と同期する前記領域に関する情報を前記他の機器に送信する送信部とを備え、
前記領域の移動指示を受け付けた場合、
前記表示制御部は、前記移動指示により移動した前記領域を示す画面の映像信号を出力し、
前記送信部は、前記移動指示により移動した前記領域に関する情報を前記他の機器に送信するデジタル放送受信装置と、
前記送信部が送信した前記領域に関する情報を取得する第２取得部と、
前記第２取得部が取得した前記情報に基づき、前記同期画面を示す映像信号を出力する第２表示制御部とを備える機器
とを備えることを特徴とするネットワーク端末システム。
【請求項５】
表示する番組表画面を示す映像信号を出力する表示制御部が、前記番組表画面の一部の領域と同期する同期画面が他の機器によって表示される場合には、前記同期画面と同期する前記領域を示す画面の映像信号を出力する表示制御ステップと、
送信部が、前記同期画面と同期する前記領域に関する情報を前記他の機器に送信する送信ステップとを備え、
前記領域の移動指示を受け付けた場合、
前記表示制御ステップでは、前記移動指示により移動した前記領域を示す画面の映像信号が出力され、
前記送信ステップでは、前記移動指示により移動した前記領域に関する情報が前記他の機器に送信されることを特徴とするデジタル放送受信装置の表示制御方法。
【発明の詳細な説明】
【技術分野】
【０００１】
本発明は、デジタル放送波を受信して種々の画面を表示させるデジタル放送受信装置に関するものである。
【背景技術】
【０００２】
デジタル放送受信装置において、例えば電子番組表（ＥＰＧ（Ｅｌｅｃｔｒｉｃ  Ｐｒｏｇｒａｍ  Ｇｕｉｄｅ）、以下、単に「番組表」と称す）等の表示画面用のユーザインタフェースとして、スマートフォン及びタブレット端末等の携帯端末と連携した操作インタフェースを提供するデジタル放送受信装置が知られている。
例えば特許文献１には、携帯電話機等の無線端末からテレビ受信機に対して、番組予約の登録を実施することが記載されている。特許文献１では、無線端末上に番組表が表示され、ユーザからの予約対象番組の選択を無線端末が受け付けて、無線端末からテレビ受信機に対して番組予約の登録が通知される。
特許文献１について具体的に説明すると、無線端末上で番組表を表示する際に、無線端末は、テレビ受信機からネットワークＩＤ、サービスＩＤ、イベントＩＤ及び属性から成る番組状態情報を取得し、番組毎の属性を用いて現在視聴中、録画予約、視聴予約等の判定を実施することで、無線端末上の番組表の番組に、テレビ受信機で表示される番組表の番組と同じ属性の表示を行う。
また、特許文献１には、テレビ受信機と無線端末との間での解像度及びアスペクト比等の表示能力の違いを考慮して、テレビ受信機と無線端末とで表示する番組表の範囲を変更する処理についても記載されている。
【先行技術文献】
【特許文献】
【０００３】
【特許文献１】特開２０１３―７４４５７号公報
【発明の概要】
【発明が解決しようとする課題】
【０００４】
上記のように、デジタル放送受信装置と、その他の機器例えば携帯電話機とを連携させることが、従来行われている。しかしながら、連携しているデジタル放送受信装置の画面とその他の機器の画面との関係性を示すことについては、特に考慮がされていなかった。したがって、ユーザは、デジタル放送受信装置の画面とその他の機器の画面とが、どのように関係しているのかを知ることが困難であった。【０００５】
本発明は、上記のような課題を解決するためになされたものであり、デジタル放送受信装置と他の機器との画面の同期状況をユーザが容易に理解できるデジタル放送受信装置を得ることを目的とする。
【課題を解決するための手段】
【０００６】
本発明に係るデジタル放送受信装置は、表示する番組表画面を示す映像信号を出力するものであって、番組表画面の一部の領域と同期する同期画面が他の機器によって表示される場合には、同期画面と同期する領域を示す画面の映像信号を出力する表示制御部と、同期画面と同期する領域に関する情報を他の機器に送信する送信部とを備え、領域の移動指示を受け付けた場合、表示制御部は、移動指示により移動した領域を示す画面の映像信号を出力し、送信部は、移動指示により移動した領域に関する情報を他の機器に送信することを特徴とするものである。
【発明の効果】
【０００７】
本発明によれば、デジタル放送受信装置と他の機器との画面の同期状況をユーザが容易に理解できる。
【図面の簡単な説明】
【０００８】
【図１】本発明の実施の形態１に係るネットワーク端末システムの構成図である。
【図２】デジタル放送受信装置の機能構成を示すブロック図である。
【図３】図３Ａ及び図３Ｂは、デジタル放送受信装置のハードウェア構成例を示すブロック図である。
【図４】携帯端末の機能構成を示すブロック図である。
【図５】図５Ａ及び図５Ｂは、携帯端末のハードウェア構成例を示すブロック図である。
【図６】図６Ａは、デジタル放送受信装置が表示している番組表画面の一例を示す図であり、図６Ｂは、携帯端末が表示している番組表画面の一例を示す図である。
【図７】フォーカス番組情報の記載例を示す図である。
【図８】番組範囲枠情報の記載例を示す図である。
【図９】スワイプ操作情報の記載例を示す図である。
【図１０】表示予定情報の記載例を示す図である。
【図１１】番組範囲枠サイズの記載例を示す図である。
【図１２】携帯端末側の処理の一例を示すフローチャートである。
【図１３】図１２に示す処理に対応してデジタル放送受信装置側で行われる処理の一例を示すフローチャートである。
【図１４】図１２及び図１３のフローチャートに示す処理に続いて行われる、携帯端末側の処理の一例を示すフローチャートである。
【図１５】図１４に示す処理に対応してデジタル放送受信装置側で行われる処理の一例を示すフローチャートである。
【発明を実施するための形態】
【０００９】
以下、本発明をより詳細に説明するために、本発明を実施するための形態について、添付の図面に従って説明する。
実施の形態１．
図１は、本発明の実施の形態１に係るネットワーク端末システムの構成図である。このネットワーク端末システムは、外部ネットワーク１、無線ルータ２、放送局３、デジタル放送受信装置１００及び携帯端末２００を有する。
外部ネットワーク１は、例えばインターネット網等であり、不図示のサーバ等とデジタル放送受信装置１００及び携帯端末２００とをつなぐための通信路である。
【００１０】
無線ルータ２は、Ｗｉ−Ｆｉ（登録商標／以下、記載を省略する）等の無線ＬＡＮ（Ｌｏｃａｌ  Ａｒｅａ  Ｎｅｔｗｏｒｋ）機能を備え、通信回線を経由して外部ネットワーク１に接続する。無線ルータ２は、デジタル放送受信装置１００、携帯端末２００及び外部ネットワーク１と接続されており、デジタル放送受信装置１００及び携帯端末２００は、インターネット網等の外部ネットワーク１からも無線ルータ２を介して情報を取得することができる。なお、無線ルータ２とデジタル放送受信装置１００とは、有線ＬＡＮでも接続可能である。Ｗｉ−Ｆｉは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ：米国電気電子学会）の規格「ＩＥＥＥ  ８０２．１１ａ／ＩＥＥＥ  ８０２．１１ｂ」で策定された無線ＬＡＮの標準規格である。
【００１１】
放送局３は、番組配列情報を含むデジタル放送波を送出する。本実施形態では、放送局３が、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：一般社団法人  電波産業会）の放送運用規定である地上デジタル放送の放送波を送出するものとして説明する。しかしながら、本発明は、地上デジタル放送の運用を規定するＭＰＥＧ（Ｍｏｖｉｎｇ  Ｐｉｃｔｕｒｅ  Ｅｘｐｅｒｔ  Ｇｒｏｕｐ）２−Ｓｙｓｔｅｍｓだけでなく、例えば、高度広帯域ＢＳ（Ｂｒｏａｄｃａｓｔｉｎｇ  Ｓａｔｅｌｌｉｔｅｓ）デジタル放送等のＭＰＥＧ−Ｈ  ＭＭＴ（ＭＰＥＧ  Ｍｅｄｉａ  Ｔｒａｎｓｐｏｒｔ）、及び、通信ネットワークを介して放送されるＩＰＴＶ（Ｉｎｔｅｒｎｅｔ  Ｐｒｏｔｏｃｏｌ  ＴＶ）放送等のＩＰＴＶフォーラムの放送運用についても同様の処理を実施可能である。
【００１２】
番組配列情報のデータ構造は、ＡＲＩＢ標準規格に従ったものであり、番組配列情報は、ＭＰＥＧ２−Ｓｙｓｔｅｍｓ規格で規定された伝送制御情報であるＰＳＩ（Ｐｒｏｇｒａｍ  Ｓｐｅｃｉｆｉｃ  Ｉｎｆｏｒｍａｔｉｏｎ：番組特定情報）とＳＩ（Ｓｅｒｖｉｃｅ  Ｉｎｆｏｒｍａｔｉｏｎ：サービス情報）とで構成される。本実施形態で説明する番組表は、主に、ＰＳＩのＮＩＴ（Ｎｅｔｗｏｒｋ  Ｉｎｆｏｒｍａｔｉｏｎ  Ｔａｂｌｅ）、ＳＩのＳＤＴ（Ｓｅｒｖｉｃｅ  Ｄｅｓｃｒｉｐｔｉｏｎ  Ｔａｂｌｅ）、及び、ＳＩのＥＩＴ（Ｅｖｅｎｔ  Ｉｎｆｏｒｍａｔｉｏｎ  Ｔａｂｌｅ）を基に作成される。ＮＩＴ、ＳＤＴ及びＥＩＴは、ＡＲＩＢにて規定された規格であるため、詳細な説明を省略する。
【００１３】
デジタル放送受信装置１００は、放送局３が送出したデジタル放送波を受信し、テレビ映像の表示及びテレビ音声の出力を行う。また、デジタル放送受信装置１００は、受信したデジタル放送波に含まれる番組配列情報に基づいて、デジタル放送の番組表画面を表示する。
図２は、デジタル放送受信装置１００の機能構成を示すブロック図である。デジタル放送受信装置１００は、放送アンテナ１０１、チューナ部１０２、ＤＥＭＵＸ部１０３、デコード部１０４、システム制御部１０５、表示部１０９、通信アンテナ１１０、通信インタフェース部１１１及び記憶部１１２を有する。
【００１４】
放送アンテナ１０１は、放送局３が送出したデジタル放送波を受信する。
チューナ部１０２は、放送アンテナ１０１が受信したデジタル放送波の中の所望の周波数帯域の電波に同調し、復調する。チューナ部１０２は、ＴＳ（Ｔｒａｎｓｐｏｒｔ  Ｓｔｒｅａｍ）多重信号をＤＥＭＵＸ部１０３へ出力する。
【００１５】
ＤＥＭＵＸ部１０３は、チューナ部１０２が出力したＴＳ多重信号からパケットを分離し、テレビ映像信号、テレビ音声信号及び制御情報等の多重データを分離する。分離したテレビ映像信号及びテレビ音声信号は、符号化圧縮されている。ＤＥＭＵＸ部１０３は、符号化圧縮されたテレビ映像信号及びテレビ音声信号をデコード部１０４へ出力する。また、ＤＥＭＵＸ部１０３は、制御情報等のテレビ映像信号及びテレビ音声信号以外の情報をシステム制御部１０５へ出力する。制御情報には、番組配列情報が含まれている。
【００１６】
デコード部１０４は、符号化圧縮されたテレビ映像信号及びテレビ音声信号を復号する。デコード部１０４は、復号したテレビ映像信号を表示部１０９へ出力し、復号したテレビ音声信号を不図示のスピーカへ出力する。
地上デジタル放送とは異なる放送運用、例えば、高度広帯域ＢＳデジタル放送では、チューナ部１０２から出力される多重信号はＴＳパケットではなく、ＴＬＶ（Ｔｙｐｅ  Ｌｅｎｇｔｈ  Ｖａｌｕｅ）パケットにて出力される。このように、放送運用によって多重形式及び参照する制御情報等が異なる場合があるが、後述するフォーカス番組情報６０１、番組範囲枠情報６０２及び表示予定情報６０４等を作成するのに必要な情報と同等の情報を取得できれば、本実施形態で示す処理が適用される放送運用の種類については問わない。
【００１７】
システム制御部１０５は、チューナ部１０２、ＤＥＭＵＸ部１０３、デコード部１０４及び表示部１０９の制御等、デジタル放送受信装置１００全体の制御を行う。システム制御部１０５は、ＤＥＭＵＸ部１０３が出力した制御情報を用いて、デジタル放送波の受信処理を制御する。システム制御部１０５は、携帯端末連携部１０６、表示予定情報作成部１０７及びＥＰＧ作成部１０８を有する。
携帯端末連携部１０６は、携帯端末２００への情報の送信、及び、携帯端末２００からの情報の取得を担う。このように携帯端末連携部１０６は、携帯端末２００への情報の送信を行う送信部、及び、携帯端末２００からの情報の取得を行う取得部を構成する。
表示予定情報作成部１０７は、後述の表示予定情報６０４を作成する。
ＥＰＧ作成部１０８は、表示部１０９で表示する番組表画面を示す映像信号を作成し、表示部１０９へ出力する。表示予定情報作成部１０７とＥＰＧ作成部１０８とは、表示制御部を構成する。
携帯端末連携部１０６、表示予定情報作成部１０７及びＥＰＧ作成部１０８の詳細については、後述する。
【００１８】
表示部１０９は、デコード部１０４が出力した復号後のテレビ映像信号が示す画面、及び、システム制御部１０５のＥＰＧ作成部１０８が出力した映像信号が示す番組表画面等の画面を表示する。
【００１９】
通信アンテナ１１０は、デジタル放送受信装置１００と他の機器との間での電波の送受信を担う。
通信インタフェース部１１１は、デジタル放送受信装置１００が他の機器例えば携帯端末２００と通信を行うためのものである。通信インタフェース部１１１は、有線ＬＡＮ又は通信アンテナ１１０を介した無線ＬＡＮにより、無線ルータ２に接続される。なお、通信インタフェース部１１１は、ＩｒＤＡ（登録商標／以下、記載を省略する）、Ｂｌｕｅｔｏｏｔｈ（登録商標／以下、記載を省略する）、ＮＦＣ（Ｎｅａｒ  Ｆｉｅｌｄ  Ｃｏｍｍｕｎｉｃａｔｉｏｎ）等の方法で、無線ルータ２を介さずに他の機器と通信することも可能である。
【００２０】
記憶部１１２は、チューナ部１０２、ＤＥＭＵＸ部１０３、デコード部１０４、システム制御部１０５及び表示部１０９がそれぞれの処理を実行するにあたって必要となる、各種の設定情報及び各種のプログラム等を記憶している。
なお、デジタル放送受信装置１００は、詳細について後述する携帯端末２００と同様のタッチパネルを用いた操作、例えばスワイプ操作等を処理する機能を有しているものとして説明する。
【００２１】
デジタル放送受信装置１００のハードウェア構成例について説明する。
図３Ａ及び図３Ｂに示すように、放送アンテナ１０１はアンテナ３０１で構成され、チューナ部１０２はチューナ３０２で構成される。また、ＤＥＭＵＸ部１０３及びデコード部１０４は、Ｄｅｃｏｄｅｒチップ３０３で構成される。また、表示部１０９は、液晶モニタ等のモニタ３０９で構成される。また、通信アンテナ１１０はアンテナ３１０で構成され、通信インタフェース部１１１は通信インタフェース３１１で構成される。
デジタル放送受信装置１００を構成する各ハードウェアは、バス３１２を介して接続されている。
【００２２】
システム制御部１０５の携帯端末連携部１０６、表示予定情報作成部１０７及びＥＰＧ作成部１０８等の各機能は、処理回路により実現される。当該処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは、中央処理装置、処理装置、演算装置、マイクロプロセッサ、マイクロコンピュータ、プロセッサ、又はＤＳＰ（Ｄｉｇｉｔａｌ  Ｓｉｇｎａｌ  Ｐｒｏｃｅｓｓｏｒ）とも呼ばれる。
【００２３】
図３Ａは、携帯端末連携部１０６、表示予定情報作成部１０７及びＥＰＧ作成部１０８の各部の機能を、記憶部１１２を構成するＦＬＡＳＨ−ＲＯＭ（Ｒｅａｄ  Ｏｎｌｙ  Ｍｅｍｏｒｙ）３０６に格納されるプログラムを実行するＣＰＵ３０５で実現した場合の、デジタル放送受信装置１００のハードウェア構成例を示す図である。ＲＡＭ（Ｒａｎｄｏｍ  Ａｃｃｅｓｓ  Ｍｅｍｏｒｙ）３０７は、ＣＰＵ３０５が、ＦＬＡＳＨ−ＲＯＭ３０６に格納されたプログラムを展開するなど、一時的な計算領域として機能する。この場合、携帯端末連携部１０６、表示予定情報作成部１０７及びＥＰＧ作成部１０８の各部の機能は、ソフトウェア、ファームウェア、又はソフトウェアとファームウェアとの組合せにより実現される。ソフトウェア及びファームウェアはプログラムとして記述され、ＦＬＡＳＨ−ＲＯＭ３０６に格納される。ＣＰＵ３０５は、ＦＬＡＳＨ−ＲＯＭ３０６に格納されたプログラムを読み出して実行することにより、携帯端末連携部１０６、表示予定情報作成部１０７及びＥＰＧ作成部１０８の各部の機能を実現する。すなわち、デジタル放送受信装置１００は、後述する図１３及び図１５のフローチャートで示すステップＳＴ１１〜ステップＳＴ１４及びステップＳＴ３１〜ステップＳＴ３４が結果的に実行されることになるプログラムを格納するためのＦＬＡＳＨ−ＲＯＭ３０６を有する。また、これらのプログラムは、携帯端末連携部１０６、表示予定情報作成部１０７及びＥＰＧ作成部１０８の各部の手順又は方法をコンピュータに実行させるものであるとも言える。ここで、ＦＬＡＳＨ−ＲＯＭ３０６は、例えば、ＲＡＭ、ＥＰＲＯＭ（Ｅｒａｓａｂｌｅ  Ｐｒｏｇｒａｍｍａｂｌｅ  ＲＯＭ）、若しくはＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性若しくは揮発性の半導体メモリ、又は、磁気ディスク、フレキシブルディスク、光ディスク、コンパクトディスク、ミニディスク、若しくはＤＶＤ（Ｄｉｇｉｔａｌ  Ｖｅｒｓａｔｉｌｅ  Ｄｉｓｃ）等のディスク状の記録媒体等、各種のメモリとしてもよい。
本実施形態では、デジタル放送受信装置１００が起動する際に、携帯端末連携部１０６、表示予定情報作成部１０７及びＥＰＧ作成部１０８の各部の機能を実現するプログラムがＲＡＭ３０７上に展開されるものとする。
【００２４】
図３Ｂは、携帯端末連携部１０６、表示予定情報作成部１０７及びＥＰＧ作成部１０８の各部の機能を、専用のハードウェアである処理回路３１３で実現した場合の、デジタル放送受信装置１００のハードウェア構成例を示す図である。処理回路３１３は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、若しくはＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。携帯端末連携部１０６、表示予定情報作成部１０７及びＥＰＧ作成部１０８の各部の機能を別個の処理回路３１３を組み合わせて実現してもよいし、各部の機能を１つの処理回路３１３で実現してもよい。記憶部１１２は、各種の情報を格納したメモリ３１４で構成され、メモリ３１４は、ＦＬＡＳＨ−ＲＯＭ３０６と同様に、半導体メモリ又はディスク状の記録媒体等、各種のメモリである。
【００２５】
なお、携帯端末連携部１０６、表示予定情報作成部１０７及びＥＰＧ作成部１０８の各部の機能について、一部を専用のハードウェアで実現し、一部をソフトウェア又はファームウェアで実現するようにしてもよい。例えば、携帯端末連携部１０６については専用のハードウェアとしての処理回路でその機能を実現し、表示予定情報作成部１０７及びＥＰＧ作成部１０８については処理回路がメモリに格納されたプログラムを読み出して実行することによってその機能を実現することが可能である。
【００２６】
このように、処理回路は、ハードウェア、ソフトウェア、ファームウェア又はこれらの組合せによって、上記の携帯端末連携部１０６、表示予定情報作成部１０７及びＥＰＧ作成部１０８の各機能を実現することができる。
【００２７】
携帯端末２００は、スマートフォン及びタブレット端末等の携帯型の機器である。携帯端末２００は、放送局３が送出したデジタル放送波を受信し、テレビ映像の表示及びテレビ音声の出力を行う。また、携帯端末２００は、受信したデジタル放送波に含まれる番組配列情報に基づいて、デジタル放送の番組表画面を表示する。
図４は、携帯端末２００の機能構成を示すブロック図である。携帯端末２００は、放送アンテナ２０１、チューナ部２０２、ＤＥＭＵＸ部２０３、デコード部２０４、システム制御部２０５、表示部２１０、通信アンテナ２１１、通信インタフェース部２１２、記憶部２１３及び入力部２１４を有する。なお、携帯端末２００の電話機能等に関連する構成については、適宜図示を省略している。
【００２８】
放送アンテナ２０１は、放送局３が送出したデジタル放送波を受信する。
チューナ部２０２は、放送アンテナ２０１が受信したデジタル放送波の中の所望の周波数帯域の電波に同調し、復調する。チューナ部２０２は、ＴＳ多重信号をＤＥＭＵＸ部２０３へ出力する。
【００２９】
ＤＥＭＵＸ部２０３は、チューナ部２０２が出力したＴＳ多重信号からパケットを分離し、テレビ映像信号、テレビ音声信号及び制御情報等の多重データを分離する。分離したテレビ映像信号及びテレビ音声信号は、符号化圧縮されている。ＤＥＭＵＸ部２０３は、符号化圧縮されたテレビ映像信号及びテレビ音声信号をデコード部２０４へ出力する。また、ＤＥＭＵＸ部２０３は、制御情報等のテレビ映像信号及びテレビ音声信号以外の情報をシステム制御部２０５へ出力する。
【００３０】
デコード部２０４は、符号化圧縮されたテレビ映像信号及びテレビ音声信号を復号する。デコード部２０４は、復号したテレビ映像信号を表示部２１０へ出力し、復号したテレビ音声信号を不図示のスピーカへ出力する。
地上デジタル放送とは異なる放送運用、例えば、高度広帯域ＢＳデジタル放送では、チューナ部２０２から出力される多重信号はＴＳパケットではなく、ＴＬＶパケットにて出力される。このように、放送運用によって多重形式及び参照する制御情報等が異なる場合があるが、後述するフォーカス番組情報６０１、番組範囲枠情報６０２、表示予定情報６０４及び番組範囲枠サイズ６０５等を作成するのに必要な情報と同等の情報を取得できれば、本実施形態で示す処理が適用される放送運用の種類については問わない。
【００３１】
システム制御部２０５は、チューナ部２０２、ＤＥＭＵＸ部２０３、デコード部２０４、表示部２１０及び入力部２１４の制御等、携帯端末２００全体の制御を行う。システム制御部２０５は、ＤＥＭＵＸ部２０３が出力した制御情報を用いて、デジタル放送波の受信処理を制御する。システム制御部２０５は、通信インタフェース部２１２及び無線ルータ２を経由して、外部ネットワーク１に存在するサーバであって番組配列情報を提供するサーバからも番組配列情報を取得することができる。
【００３２】
システム制御部２０５は、番組範囲枠作成部２０６、操作情報作成部２０７、装置連携部２０８及びＥＰＧ作成部２０９を有する。
番組範囲枠作成部２０６は、後述の番組範囲枠情報６０２を作成する。
操作情報作成部２０７は、携帯端末２００で表示中の画面に対する入力部２１４を用いた操作の内容、例えば、スワイプ操作及びフリック操作等の携帯端末２００で表示中の画面に対するタッチパネル４１４を用いた操作の内容を示す情報を作成する。
装置連携部２０８は、デジタル放送受信装置１００への情報の送信、及び、デジタル放送受信装置１００からの情報の取得を担う。このように装置連携部２０８は、デジタル放送受信装置１００への情報の送信を行う第２送信部、及び、デジタル放送受信装置１００からの情報の取得を行う第２取得部を構成する。
ＥＰＧ作成部２０９は、表示部１０９で表示する番組表画面を示す映像信号を作成し、表示部２１０へ出力する。番組範囲枠作成部２０６とＥＰＧ作成部２０９とは、第２表示制御部を構成する。
番組範囲枠作成部２０６、操作情報作成部２０７、装置連携部２０８及びＥＰＧ作成部２０９の詳細については、後述する。
【００３３】
表示部２１０は、デコード部２０４が出力した復号後のテレビ映像信号が示す画面、及び、システム制御部２０５のＥＰＧ作成部２０９が出力した映像信号が示す番組表画面等の画面を表示する。
【００３４】
通信アンテナ２１１は、携帯端末２００と他の機器との間での電波の送受信を担う。
通信インタフェース部２１２は、携帯端末２００が他の機器例えばデジタル放送受信装置１００と通信を行うためのものである。通信インタフェース部２１２は、Ｗｉ−Ｆｉ、無線ＬＡＮ、ＩｒＤＡ、Ｂｌｕｅｔｏｏｔｈ及びＮＦＣ等の方法で、無線ルータ２を介さずに他の機器と通信することが可能である。また、通信インタフェース部２１２は、無線ルータ２を介して外部ネットワーク１と接続され、外部ネットワーク１に存在するサーバ等と情報の送受信を行う。
本実施形態では、システム制御部２０５がＤＥＭＵＸ部２０３経由でデジタル放送の番組配列情報を取得する場合を例に説明するが、システム制御部２０５は、通信インタフェース部２１２を介して外部ネットワーク１から番組配列情報を取得することも可能である。番組配列情報が外部ネットワーク１から取得される場合であって、携帯端末２００がテレビ視聴の機能をユーザに提供しないものであれば、放送アンテナ２０１、チューナ部２０２、ＤＥＭＵＸ部２０３及びデコード部２０４を携帯端末２００の構成から取り除くことも可能である。
【００３５】
記憶部２１３は、チューナ部２０２、ＤＥＭＵＸ部２０３、デコード部２０４、システム制御部２０５、入力部２１４及び表示部２１０がそれぞれの処理を実行するにあたって必要となる、各種の設定情報及び各種のプログラム等を記憶している。
入力部２１４は、ユーザによる携帯端末２００に対する入力操作を受け付け、当該入力操作に応じた入力信号をシステム制御部２０５へ出力する。
【００３６】
携帯端末２００のハードウェア構成例について説明する。
図５Ａ及び図５Ｂに示すように、放送アンテナ２０１はアンテナ４０１で構成され、チューナ部２０２はチューナ４０２で構成される。また、ＤＥＭＵＸ部２０３及びデコード部２０４は、Ｄｅｃｏｄｅｒチップ４０３で構成される。また、表示部２１０は、液晶モニタ等のモニタ４１０で構成される。また、通信アンテナ２１１はアンテナ４１１で構成され、通信インタフェース部２１２は通信インタフェース４１２で構成される。また、入力部２１４は、物理的なボタン及びタッチパネル等を用いることができ、本実施形態では、入力部２１４はタッチパネル４１４で構成される場合を例にして説明する。
携帯端末２００を構成する各ハードウェアは、バス４１５を介して接続されている。
【００３７】
システム制御部２０５の番組範囲枠作成部２０６、操作情報作成部２０７、装置連携部２０８及びＥＰＧ作成部２０９等の各機能は、システム制御部１０５と同様に、処理回路により実現される。当該処理回路は、専用のハードウェアであっても、メモリに格納されるプログラムを実行するＣＰＵであってもよい。
【００３８】
図５Ａは、番組範囲枠作成部２０６、操作情報作成部２０７、装置連携部２０８及びＥＰＧ作成部２０９の各部の機能を、図３Ａと同様に、記憶部２１３を構成するＦＬＡＳＨ−ＲＯＭ４０６に格納されるプログラムを実行するＣＰＵ４０５で実現した場合の、携帯端末２００のハードウェア構成例を示す図である。ＲＡＭ４０７は、ＣＰＵ４０５が、ＦＬＡＳＨ−ＲＯＭ４０６に格納されたプログラムを展開するなど、一時的な計算領域として機能する。この場合、番組範囲枠作成部２０６、操作情報作成部２０７、装置連携部２０８及びＥＰＧ作成部２０９の各部の機能は、ソフトウェア、ファームウェア、又はソフトウェアとファームウェアとの組合せにより実現される。ソフトウェア及びファームウェアはプログラムとして記述され、ＦＬＡＳＨ−ＲＯＭ４０６に格納される。ＣＰＵ４０５は、ＦＬＡＳＨ−ＲＯＭ４０６に格納されたプログラムを読み出して実行することにより、番組範囲枠作成部２０６、操作情報作成部２０７、装置連携部２０８及びＥＰＧ作成部２０９の各部の機能を実現する。すなわち、携帯端末２００は、後述する図１２及び図１４のフローチャートで示すステップＳＴ１〜ステップＳＴ６及びステップＳＴ２１〜ステップＳＴ２４が結果的に実行されることになるプログラムを格納するためのＦＬＡＳＨ−ＲＯＭ４０６を有する。また、これらのプログラムは、番組範囲枠作成部２０６、操作情報作成部２０７、装置連携部２０８及びＥＰＧ作成部２０９の各部の手順又は方法をコンピュータに実行させるものであるとも言える。ここで、ＦＬＡＳＨ−ＲＯＭ４０６は、図３ＡにおけるＦＬＡＳＨ−ＲＯＭ３０６と同様に、半導体メモリ又はディスク状の記録媒体等、各種のメモリとしてもよい。
本実施形態では、携帯端末２００が起動する際に、番組範囲枠作成部２０６、操作情報作成部２０７、装置連携部２０８及びＥＰＧ作成部２０９の各部の機能を実現するプログラムがＲＡＭ４０７上に展開されるものとする。
【００３９】
図５Ｂは、番組範囲枠作成部２０６、操作情報作成部２０７、装置連携部２０８及びＥＰＧ作成部２０９の各部の機能を、図３Ｂと同様に、専用のハードウェアである処理回路４１６で実現した場合の、携帯端末２００のハードウェア構成例を示す図である。処理回路４１６は、図３Ｂにおける処理回路３１３と同様に、例えば、単一回路、複合回路、プログラム化したプロセッサ、並列プログラム化したプロセッサ、ＡＳＩＣ、若しくはＦＰＧＡ、又はこれらを組み合わせたものが該当する。番組範囲枠作成部２０６、操作情報作成部２０７、装置連携部２０８及びＥＰＧ作成部２０９の各部の機能を別個の処理回路４１６を組み合わせて実現してもよいし、各部の機能を１つの処理回路４１６で実現してもよい。記憶部２１３は、各種の情報を格納したメモリ４１７で構成され、メモリ４１７は、ＦＬＡＳＨ−ＲＯＭ４０６と同様に、半導体メモリ又はディスク状の記録媒体等、各種のメモリである。
【００４０】
なお、番組範囲枠作成部２０６、操作情報作成部２０７、装置連携部２０８及びＥＰＧ作成部２０９の各部の機能について、一部を専用のハードウェアで実現し、一部をソフトウェア又はファームウェアで実現するようにしてもよい。
このように、処理回路は、ハードウェア、ソフトウェア、ファームウェア又はこれらの組合せによって、上記の番組範囲枠作成部２０６、操作情報作成部２０７、装置連携部２０８及びＥＰＧ作成部２０９の各機能を実現することができる。
【００４１】
図６Ａは、上記のように構成されたデジタル放送受信装置１００が表示している番組表画面の一例である。また、図６Ｂは、上記のように構成された携帯端末２００が表示している番組表画面の一例である。本実施形態では、デジタル放送受信装置１００の表示部１０９で図６Ａに示す番組表画面が表示されている際、携帯端末２００の表示部２１０では図６Ｂに示す番組表画面が表示されることになる。図６Ａには、携帯端末２００での表示範囲を示す番組範囲枠５０１が示されている。
【００４２】
デジタル放送受信装置１００で表示中の画面の一部の領域と携帯端末２００で表示中の画面とが同期している場合について、図６Ａ及び図６Ｂを用いて説明する。デジタル放送受信装置１００が例えば７サービス・６時間で番組表画面を表示し、携帯端末２００が例えば３サービス・４時間で番組表画面を表示するものとする。サービスは、いわゆるチャンネルを指す。図６Ａ及び図６Ｂでは、画面横方向にサービス、画面縦方向に時間が並べられた番組表画面を示している。携帯端末２００で表示されるこの３サービス・４時間分の番組表画面に対応する範囲が、デジタル放送受信装置１００では番組範囲枠５０１に囲まれている。このように、携帯端末２００の画面は、デジタル放送受信装置１００の画面の一部の領域と同期した同期画面となっている。
なお、本実施形態では、番組範囲枠５０１と、番組表画面でフォーカスされている番組との相対位置は、固定されているものとする。図６Ａを用いて説明すれば、番組表画面でフォーカスされている番組は、番組範囲枠５０１内で常に例えば左上に位置するようにされる。フォーカスされている番組は、ハッチングを施して図示されている。
【００４３】
次に、本実施形態に係るネットワーク端末システムに関連するデータ形式について、図７〜図１１を用いて説明する。
図７は、フォーカス番組情報６０１の記載例である。フォーカス番組情報６０１は、デジタル放送受信装置１００で表示されている番組表画面上でフォーカスされている番組を特定するための情報であり、ｎｅｔｗｏｒｋ＿ｉｄ、ｏｒｉｇｉｎａｌ＿ｎｅｔｗｏｒｋ＿ｉｄ、ＴＳ＿ｉｄ、ｓｅｒｖｉｃｅ＿ｉｄ及びｅｖｅｎｔ＿ｉｄから構成される。ｎｅｔｗｏｒｋ＿ｉｄ、ｏｒｉｇｉｎａｌ＿ｎｅｔｗｏｒｋ＿ｉｄ、ＴＳ＿ｉｄ、ｓｅｒｖｉｃｅ＿ｉｄ及びｅｖｅｎｔ＿ｉｄは、ＥＩＴに記述された情報であり、ＡＲＩＢにて規定されたものであるため、詳細な説明を省略する。
【００４４】
図８は、番組範囲枠情報６０２の記載例である。番組範囲枠情報６０２は、フォーカス番組情報６０１と番組範囲枠サイズ６０５とを用いて作成される、番組範囲枠５０１の位置を示す情報である。本実施形態では、番組範囲枠５０１の表示を、表示画面上の任意のドット座標ではなく、番組表のサービスと時間枠とのマトリックスの境界で区切るように設定する。図８では、番組範囲枠情報６０２が、ｌｅｆｔ、ｔｏｐ、ｗｉｄｔｈ及びｈｅｉｇｈｔから構成されている。ｌｅｆｔ及びｗｉｄｔｈはサービスを、ｗｉｄｔｈ及びｈｅｉｇｈｔは時間を単位として記載されており、図８の例では、ｌｅｆｔ欄の１０１は、番組範囲枠５０１内で一番左側に位置するサービスが１０１ｃｈであることを示し、ｔｏｐ欄の１０：００は、番組範囲枠５０１内で一番上側に位置する時間帯が１０時であることを示し、ｗｉｄｔｈ欄の３サービスは、番組範囲枠５０１の横幅が３サービス分であることを示し、ｈｅｉｇｈｔ欄の４時間は番組範囲枠５０１の縦幅が４時間分であることを示す。
【００４５】
図９は、スワイプ操作情報６０３の記載例である。スワイプ操作情報６０３は、携帯端末２００にて入力されたユーザのスワイプ操作を、携帯端末２００からデジタル放送受信装置１００へ送信する際のデータ形式である。スワイプ操作情報６０３は、移動開始位置（ｓｔａｒｔ＿ｐｏｓｉｔｉｏｎＸ、ｓｔａｒｔ＿ｐｏｓｉｔｉｏｎＹ）、移動終了位置（ｅｎｄ＿ｐｏｓｉｔｉｏｎＸ、ｅｎｄ＿ｐｏｓｉｔｉｏｎＹ）及び移動速度（ｖｅｌｏｃｉｔｙＸ、ｖｅｌｏｃｉｔｙＹ）で構成される。移動開始位置及び移動終了位置はドット単位で記載され、移動速度はドット／秒で記載されるものとする。
【００４６】
なお、本実施形態では、スワイプ操作を例に挙げて説明するが、フリック操作等の他のタッチパネル操作、及び、入力部２１４を構成可能な物理的なボタンを用いた操作についても同様に、携帯端末２００のプラットフォームから得られる操作イベントの形式に合わせてユーザの操作を示す情報を携帯端末２００からデジタル放送受信装置１００に送信することにより、デジタル放送受信装置１００と携帯端末２００との間での操作イベントの授受を行うことができる。また、本実施形態において、デジタル放送受信装置１００と携帯端末２００とでスワイプ操作情報６０３をやり取りする際に、双方のプラットフォームは、スワイプ操作に関して同じイベントの形式を使用していることとするが、双方のプラットフォームでスワイプ操作に関して異なる形式を使用している場合にも、スワイプ操作情報６０３の送受信時にそれぞれのプラットフォームで使用している形式に変換することにより、同様に処理することができる。
【００４７】
図１０は、表示予定情報６０４の記載例である。表示予定情報６０４は、デジタル放送受信装置１００において、携帯端末２００から取得したスワイプ操作情報６０３を基に、デジタル放送受信装置１００にて同様のスワイプ操作が入力された場合に、デジタル放送受信装置１００で表示されている番組範囲枠５０１が移動する移動先の予定位置を示す。表示予定情報６０４は、番組範囲枠情報６０２と同一のフォーマットで記載される。
【００４８】
図１１は、番組範囲枠サイズ６０５の記載例である。番組範囲枠サイズ６０５は、携帯端末２００で表示する番組表のサイズを示すものである。本実施形態では、横方向にサービス、縦方向に時間を取ったマトリックスのサイズとして番組範囲枠サイズ６０５が記載されている。図１１の例では、ｗｉｄｔｈ欄の３サービス及びｈｅｉｇｈｔ欄の４時間によって、携帯端末２００で表示する番組表が横方向に３サービス分、縦方向に４時間分であることを示している。番組範囲枠サイズ６０５は、記憶部２１３に予め記憶されている。
【００４９】
次に、デジタル放送受信装置１００が有する携帯端末連携部１０６、表示予定情報作成部１０７及びＥＰＧ作成部１０８について、詳述する。
携帯端末連携部１０６は、通信インタフェース部１１１を介して携帯端末２００と通信をする。携帯端末連携部１０６は、携帯端末２００との接続処理を行い、携帯端末２００からタッチパネル操作情報を取得する。携帯端末連携部１０６は、取得したタッチパネル操作情報を表示予定情報作成部１０７へ出力する。また、携帯端末連携部１０６は、表示予定情報作成部１０７が作成した表示予定情報６０４を携帯端末２００へ送信する。
タッチパネル操作情報は、スワイプ操作情報６０３等、携帯端末２００で表示中の画面に対するタッチパネル４１４を用いた操作内容を示す情報の総称である。タッチパネル操作情報としては、例えばフリック操作を示す情報もその一例として挙げられる。
【００５０】
表示予定情報作成部１０７は、携帯端末連携部１０６が取得したタッチパネル操作情報を用いて、デジタル放送受信装置１００の番組表に表示されている番組範囲枠５０１が移動する移動先を算出する。算出される移動先は、デジタル放送受信装置１００にて同様のスワイプ操作が発生した際に番組範囲枠５０１が移動する移動先に相当する。
表示予定情報作成部１０７は、算出した番組範囲枠５０１の移動先を示す表示予定情報６０４を作成し、ＥＰＧ作成部１０８及び携帯端末連携部１０６へ出力する。
【００５１】
ＥＰＧ作成部１０８は、ＤＥＭＵＸ部１０３が分離した番組配列情報を取得し、取得した番組配列情報に基づいてサービスＩＤを横に配列し、サービスＩＤ毎に時系列に沿って下方向に番組欄を並べた番組表画面を示す映像信号を作成する。また、ＥＰＧ作成部１０８は、携帯端末連携部１０６を介して携帯端末２００から連携操作要求を取得し、現在フォーカスされている番組のフォーカス番組情報６０１を作成して携帯端末連携部１０６を介して携帯端末２００へ送信する。また、ＥＰＧ作成部１０８は、携帯端末連携部１０６を介して携帯端末２００から番組範囲枠情報６０２を取得し、番組範囲枠５０１が重畳された番組表画面を示す映像信号を作成する。表示予定情報作成部１０７が表示予定情報６０４を作成した場合は、ＥＰＧ作成部１０８は、当該表示予定情報６０４を用いて、番組範囲枠５０１を移動させた番組表画面を示す映像信号を作成する。
ＥＰＧ作成部１０８は、作成した映像信号を表示部１０９へ出力する。これにより、表示部１０９には、出力された映像信号が示す画面が表示される。
【００５２】
次に、携帯端末２００が有する番組範囲枠作成部２０６、操作情報作成部２０７、装置連携部２０８及びＥＰＧ作成部２０９について、詳述する。
番組範囲枠作成部２０６は、装置連携部２０８を介してデジタル放送受信装置１００から取得したフォーカス番組情報６０１と、記憶部２１３に記憶されている番組範囲枠サイズ６０５とを用いて、番組範囲枠情報６０２を作成する。番組範囲枠作成部２０６は、作成した番組範囲枠情報６０２を装置連携部２０８及びＥＰＧ作成部２０９へ出力する。
【００５３】
操作情報作成部２０７は、タッチパネル４１４が出力する入力信号を用いて、スワイプ操作情報６０３等のタッチパネル操作情報を作成する。操作情報作成部２０７は、作成したタッチパネル操作情報を装置連携部２０８へ出力する。
なお、携帯端末２００の画面の解像度とデジタル放送受信装置１００の画面の解像度との差が原因となって、タッチパネル操作での指の接触開始位置及び接触終了位置等で、携帯端末２００上の操作と、その操作を受けたデジタル放送受信装置１００上での表示更新に違和感が出ることが考えられる。このため、操作情報作成部２０７は、ｄｏｔ／ｉｎｃｈ等の単位長さあたりのドット数で補正を掛けて、スワイプ操作情報６０３等のタッチパネル操作情報を作成するようにするとよい。
【００５４】
装置連携部２０８は、通信インタフェース部２１２を介してデジタル放送受信装置１００と通信をする。装置連携部２０８は、デジタル放送受信装置１００との接続処理を行い、デジタル放送受信装置１００からフォーカス番組情報６０１及び表示予定情報６０４を取得する。装置連携部２０８は、取得したフォーカス番組情報６０１を番組範囲枠作成部２０６へ出力し、取得した表示予定情報６０４をＥＰＧ作成部２０９へ出力する。また、装置連携部２０８は、操作情報作成部２０７が作成したタッチパネル操作情報をデジタル放送受信装置１００へ送信する。
【００５５】
ＥＰＧ作成部２０９は、ＤＥＭＵＸ部２０３が分離した番組配列情報を取得し、取得した番組配列情報に基づいてサービスＩＤを横に配列し、サービスＩＤ毎に時系列に沿って下方向に番組欄を並べた番組表画面を示す映像信号を作成する。その際、ＥＰＧ作成部２０９は、番組範囲枠情報６０２を用いて、番組表画面を示す映像信号を作成する。本実施形態では、当該映像信号によって、横に３サービス分、縦に４時間分の番組表であって、フォーカス番組が左上に位置する番組表が表示される。また、ＥＰＧ作成部２０９は、ユーザによるスワイプ操作等のタッチパネル４１４を用いた入力操作が行われた際に、デジタル放送受信装置１００から装置連携部２０８が取得した表示予定情報６０４を用いて、それまでとは異なる番組表画面を示す映像信号を作成する。
ＥＰＧ作成部２０９は、作成した映像信号を表示部２１０へ出力する。これにより、表示部２１０には、出力された映像信号が示す画面が表示される。
【００５６】
次に、デジタル放送受信装置１００と携帯端末２００とによる処理の一例について、図１２〜図１５に示すフローチャートを用いて説明する。図１２及び図１３では、デジタル放送受信装置１００にて番組表画面が表示されている状態から、ユーザが携帯端末２００に対して番組表画面を表示するよう指示した場合の処理について説明する。また、図１４及び図１５では、ユーザが携帯端末２００のタッチパネル４１４を操作することにより、デジタル放送受信装置１００及び携帯端末２００の番組表画面が変化する際の処理について説明する。図１４及び図１５では、ユーザによりタッチパネル４１４を用いたスワイプ操作が実施されたものとして説明する。
【００５７】
まず、図１２及び図１３のフローチャートに示す処理について説明する。図１２のフローチャートは携帯端末２００側の処理を示し、図１３のフローチャートはデジタル放送受信装置１００側の処理を示している。
操作情報作成部２０７は、タッチパネル４１４が出力した入力信号によって、ユーザが携帯端末２００に対して番組表画面を表示するよう指示を入力したことを検出する（ステップＳＴ１）。すると、操作情報作成部２０７は、装置連携部２０８に対して、デジタル放送受信装置１００に連携操作要求を送信するように指示する。
【００５８】
続いて、装置連携部２０８は、デジタル放送受信装置１００に対して連携操作要求を送信する（ステップＳＴ２）。
続いて、装置連携部２０８は、連携操作許可の取得待ちの状態に入り、第１設定時間内に連携操作許可を取得したかを判定する（ステップＳＴ３）。
第１設定時間内に連携操作許可を取得しなかった場合（ステップＳＴ３；ＮＯ）、装置連携部２０８は、デジタル放送受信装置１００との連携をすることなく処理を終了する。
【００５９】
携帯端末２００の装置連携部２０８が送信した連携操作要求は、デジタル放送受信装置１００の携帯端末連携部１０６が取得する（ステップＳＴ１１）。携帯端末連携部１０６は、連携操作要求を取得したことをＥＰＧ作成部１０８に通知し、ＥＰＧ作成部１０８は、デジタル放送受信装置１００の番組表画面上に表示しているカーソルがその時点で当たっている番組を示すフォーカス番組情報６０１を作成する。作成されたフォーカス番組情報６０１は、携帯端末連携部１０６へ出力される。
続いて、携帯端末連携部１０６は、携帯端末２００に連携操作許可を送信するとともに、ＥＰＧ作成部１０８が作成したフォーカス番組情報６０１を携帯端末２００に送信する（ステップＳＴ１２）。
【００６０】
以降、デジタル放送受信装置１００と携帯端末２００との間の通信は、携帯端末連携部１０６と装置連携部２０８とにより行われるものとする。連携操作許可送信後、携帯端末連携部１０６は、番組範囲枠情報６０２の取得待ちの状態に入り、第２設定時間内に番組範囲枠情報６０２を取得したかを判定する（ステップＳＴ１３）。
第２設定時間内に番組範囲枠情報６０２を取得しなかった場合（ステップＳＴ１３；ＮＯ）、携帯端末連携部１０６は、携帯端末２００との連携を終了する。
なお、携帯端末２００の装置連携部２０８は、デジタル放送受信装置１００との連携処理を、ユーザによる番組表画面の表示指示前に行っていても構わない。
【００６１】
携帯端末２００の装置連携部２０８は、第１設定時間内にフォーカス番組情報６０１と共に連携操作許可を取得した場合（ステップＳＴ３；ＹＥＳ）、番組範囲枠作成部２０６にフォーカス番組情報６０１を出力する。番組範囲枠作成部２０６は、フォーカス番組情報６０１と番組範囲枠サイズ６０５とを用いて、番組範囲枠５０１に該当する番組範囲枠を算出して番組範囲枠情報６０２を作成する（ステップＳＴ４）。作成された番組範囲枠情報６０２は、装置連携部２０８及びＥＰＧ作成部２０９へ出力される。
【００６２】
続いて、装置連携部２０８は、番組範囲枠作成部２０６が作成した番組範囲枠情報６０２をデジタル放送受信装置１００に送信する（ステップＳＴ５）。
また、ＥＰＧ作成部２０９は、番組範囲枠作成部２０６が作成した番組範囲枠情報６０２を用いて、番組範囲枠情報６０２が示す範囲内に含まれる番組表画面を示す映像信号を作成し、表示部２１０へ出力する（ステップＳＴ６）。これにより、表示部２１０には、例えば図６Ｂに示すような、フォーカス番組が左上に配置された番組表画面であって、番組範囲枠サイズ６０５が示すサービス及び時間分の番組表画面が表示される。
【００６３】
デジタル放送受信装置１００の携帯端末連携部１０６は、第２設定時間内に番組範囲枠情報６０２を取得した場合（ステップＳＴ１３；ＹＥＳ）、ＥＰＧ作成部１０８に番組範囲枠情報６０２を出力する。ＥＰＧ作成部１０８は、番組範囲枠情報６０２を用いて、番組範囲枠５０１が重畳された番組表画面を示す映像信号を作成し、表示部１０９へ出力する（ステップＳＴ１４）。これにより、表示部１０９には、例えば図６Ａに示すような、番組範囲枠５０１が重畳された番組表画面が表示される。
【００６４】
図６Ａ及び図６Ｂを用いて既に説明したように、携帯端末２００の番組表画面は、デジタル放送受信装置１００の番組表画面の一部の領域と同期した同期画面となっている。このような同期画面がステップＳＴ６により携帯端末２００で表示される場合、デジタル放送受信装置１００では、当該同期画面と同期する領域を番組範囲枠５０１で囲んで示した番組表画面を、表示部１０９で表示するための映像信号が、ステップＳＴ１４でＥＰＧ作成部１０８によって作成され出力される。
また、ステップＳＴ１２で携帯端末連携部１０６が送信するフォーカス番組情報６０１は、番組範囲枠５０１の位置を示す番組範囲枠情報６０２の作成に使われ、番組範囲枠５０１は、携帯端末２００が表示する同期画面と同期する領域を囲むものであることから、フォーカス番組情報６０１は、実質的に、同期画面と同期する領域に関する情報であると言える。
【００６５】
以上の図１２及び図１３のフローチャートに示す処理に続いて行われる、ユーザが携帯端末２００上でタッチパネル４１４越しに番組表画面を操作して、デジタル放送受信装置１００及び携帯端末２００の番組表画面が変化する処理について、図１４及び図１５を用いて説明する。図１４のフローチャートは携帯端末２００側の処理を示し、図１５のフローチャートはデジタル放送受信装置１００側の処理を示している。
図１２及び図１３を用いて説明した処理により、デジタル放送受信装置１００で表示中の画面の一部の領域と携帯端末２００で表示中の画面とは、例えば図６Ａ及び図６Ｂに示すように同期している。携帯端末２００で表示中の画面に対してユーザがタッチパネル４１４を用いた操作を行い、操作情報作成部２０７がタッチパネル４１４から入力信号を取得すると、操作情報作成部２０７は、タッチパネル操作情報を作成する（ステップＳＴ２１）。作成されたタッチパネル操作情報は、装置連携部２０８へ出力される。このとき、操作情報作成部２０７がタッチパネル操作情報としてスワイプ操作情報６０３を作成、つまり、ユーザによりスワイプ操作が行われたものとして以下説明する。ユーザがタッチパネル４１４に対してスワイプ操作を実施すると、タッチパネル４１４は、ユーザの指の圧着を感知し、指の接触開始位置、接触終了位置及び接触時の指の移動速度等を示す入力信号を操作情報作成部２０７へ出力する。
【００６６】
続いて、装置連携部２０８は、操作情報作成部２０７が作成したスワイプ操作情報６０３をデジタル放送受信装置１００に送信する（ステップＳＴ２２）。
続いて、装置連携部２０８は、表示予定情報６０４の取得待ちの状態に入り、第３設定時間内に表示予定情報６０４を取得したかを判定する（ステップＳＴ２３）。
第３設定時間内に表示予定情報６０４を取得しなかった場合（ステップＳＴ２３；ＮＯ）、装置連携部２０８は、デジタル放送受信装置１００との連携を終了する。なお、第３設定時間内に表示予定情報６０４を取得しなかった場合、図１２及び図１３のフローチャートに示される処理が再度実施されることにより、携帯端末２００は、デジタル放送受信装置１００と表示中の番組表画面の同期を取るようにしても構わない。
【００６７】
携帯端末２００の装置連携部２０８が送信したスワイプ操作情報６０３は、デジタル放送受信装置１００の携帯端末連携部１０６が取得する（ステップＳＴ３１）。取得されたスワイプ操作情報６０３は、表示予定情報作成部１０７へ出力される。
続いて、表示予定情報作成部１０７は、スワイプ操作情報６０３を用いて、番組範囲枠５０１の移動先を示す表示予定情報６０４を作成する（ステップＳＴ３２）。作成された表示予定情報６０４は、携帯端末連携部１０６及びＥＰＧ作成部１０８へ出力される。
続いて、携帯端末連携部１０６は、表示予定情報作成部１０７が作成した表示予定情報６０４を携帯端末２００へ送信する（ステップＳＴ３３）。
【００６８】
携帯端末２００の装置連携部２０８は、第３設定時間内に表示予定情報６０４を取得した場合（ステップＳＴ２３；ＹＥＳ）、ＥＰＧ作成部２０９に表示予定情報６０４を出力する。ＥＰＧ作成部２０９は、デジタル放送受信装置１００における番組範囲枠５０１が当該表示予定情報６０４に示される位置へ移動した後に囲む領域と対応する番組表画面へと、その時点で携帯端末２００にて表示中の番組表画面が遷移する際に必要なスワイプ操作が、タッチパネル４１４を介して入力されたときと同様の、映像信号の作成処理を行う。このようにして、ＥＰＧ作成部２０９は、表示予定情報６０４が示す位置に移動した後の番組範囲枠５０１で囲まれる領域に対応する番組表画面を示す映像信号を作成し、出力する（ステップＳＴ２４）。これにより、表示部２１０には、移動した後の番組範囲枠５０１で囲まれる領域との同期画面である番組表画面が表示される。
なお、携帯端末２００は、表示予定情報６０４が示す位置に移動した後の番組範囲枠５０１で囲まれる領域に対応する番組表画面へと遷移させるスワイプ操作に相当する操作イベントを、プラットフォームレベルで生成して、ＥＰＧ作成部２０９での処理に用いても構わない。
【００６９】
また、デジタル放送受信装置１００のＥＰＧ作成部１０８は、表示予定情報６０４を用いて、重畳している番組範囲枠５０１を移動させた番組表画面を示す映像信号を作成し、表示部１０９へ出力する（ステップＳＴ３４）。このようにして、デジタル放送受信装置１００は、スワイプ操作情報６０３を、番組範囲枠５０１で囲まれる領域に対する移動指示として受け付け、ＥＰＧ作成部１０８は、当該スワイプ操作情報６０３が示す操作に合わせた映像信号の作成処理を行う。これにより、表示部１０９には、表示予定情報６０４が示す位置に移動した後の番組範囲枠５０１が重畳された番組表画面が、表示される。当該番組表画面は、スワイプ操作情報６０３により移動した、番組範囲枠５０１が囲む領域を示すものであるので、ＥＰＧ作成部１０８は、スワイプ操作情報６０３に基づいて、当該領域を示す画面の映像信号を作成し、表示部１０９に出力していると言える。
そして、番組範囲枠５０１の移動先を示す表示予定情報６０４は、移動した番組範囲枠５０１が囲む領域を示すものとも考えられることから、実質的に、スワイプ操作情報６０３により移動した当該領域に関する情報であると言える。
【００７０】
なお、本実施形態では、デジタル放送受信装置１００での番組範囲枠５０１の表示予定位置を、デジタル放送受信装置１００の番組表に表示しているサービスと時間枠とのマトリックスの境界に合わせて移動させたが、サービスと時間枠とのマトリックスの境界に合わせて移動させるのではなく、ドット単位での移動をさせても構わない。
【００７１】
また、上記では、ＧＵＩ（Ｇｒａｐｈｉｃａｌ  Ｕｓｅｒ  Ｉｎｔｅｒｆａｃｅ）画面として番組表画面を例に説明を行った。しかしながら、他のＧＵＩ画面、例えば録画した番組を一覧表で示した録画一覧表の画面等を対象として、携帯端末２００のタッチパネル４１４によってデジタル放送受信装置１００の画面と携帯端末２００の画面とが操作される上記のような処理を適用してもよい。
【００７２】
また、上記では、デジタル放送受信装置１００は、携帯端末２００で表示中の画面に対するスワイプ操作情報６０３を、番組範囲枠５０１で囲まれる領域に対する移動指示として受け付けた。しかしながら、デジタル放送受信装置１００は、視聴チャンネルの変更等に使われる不図示のリモコンを用いたユーザによる番組範囲枠５０１の移動指示、つまり番組範囲枠５０１で囲まれる領域の移動指示を受け付けてもよい。この場合も、デジタル放送受信装置１００は、上記したスワイプ操作情報６０３の場合と同様に、受け付けた移動指示を用いての表示予定情報６０４の作成及び送信、並びに、当該表示予定情報６０４を用いての映像信号の作成を行う。
【００７３】
また、上記では、図６Ａ及び図６Ｂのように、番組範囲枠５０１によって携帯端末２００で表示中の画面がどの範囲であるかを示した。しかしながら、例えば表示色の変更、又は、表示輝度の変更等によって、携帯端末２００で表示中の画面をデジタル放送受信装置１００で示すようにしてもよい。要は、デジタル放送受信装置１００で表示中の画面のうち、携帯端末２００で表示中の画面と同期している領域が、そうでない領域と区別して表示されればよい。
【００７４】
以上のように、この実施の形態１に係るデジタル放送受信装置１００は、携帯端末２００で表示する画面と同期する領域を示した画面を表示し、また、当該領域の移動指示を受け付けた場合は、当該移動指示により移動した領域を示す画面の映像信号を出力すると共に、当該移動指示により移動した領域に関する表示予定情報６０４を携帯端末２００に送信する。これにより、ユーザは、デジタル放送受信装置１００と携帯端末２００との画面の同期状況を容易に理解することができる。
【００７５】
また、携帯端末２００から、当該携帯端末２００で表示中の同期画面に対する操作情報を移動指示として取得する携帯端末連携部１０６を備え、表示予定情報作成部１０７とＥＰＧ作成部１０８とは、携帯端末連携部１０６が取得した操作情報に基づいて、移動した領域を示す画面の映像信号を出力することとした。このようにすると、携帯端末２００等の他の機器が有するユーザインタフェースを、デジタル放送受信装置１００の画面を操作するものとして利用することができる。
さらに、携帯端末２００に表示されている画面を利用して、例えば番組表画面であれば、番組表画面内の番組の指定を、デジタル放送受信装置１００のリモコンの上下左右キーを操作して指定するのではなく、携帯端末２００を操作して指定することにより行うことが可能となるので、ユーザの利便性を向上させることができる。
【００７６】
また、ＥＰＧ作成部１０８は、表示する番組表画面を示す映像信号を出力することとした。このように、番組表画面において、デジタル放送受信装置１００と携帯端末２００との画面の同期状況をユーザは容易に理解することができる。
【００７７】
また、ＥＰＧ作成部１０８は、同期画面と同期する領域を枠で囲んで示す画面の映像信号を出力することとした。このようにすると、ユーザは、デジタル放送受信装置１００と携帯端末２００との画面の同期状況を特に容易に理解することができる。
【００７８】
なお、本願発明はその発明の範囲内において、実施の形態の任意の構成要素の変形、もしくは実施の形態の任意の構成要素の省略が可能である。
【産業上の利用可能性】
【００７９】
以上のように、本発明に係るデジタル放送受信装置は、デジタル放送受信装置と他の機器との画面の同期状況をユーザが容易に理解できるので、他の機器として携帯端末等と連携させて用いるのに適している。
【符号の説明】
【００８０】
１  外部ネットワーク、２  無線ルータ、３  放送局、１００  デジタル放送受信装置、１０１  放送アンテナ、１０２  チューナ部、１０３  ＤＥＭＵＸ部、１０４  デコード部、１０５  システム制御部、１０６  携帯端末連携部、１０７  表示予定情報作成部、１０８  ＥＰＧ作成部、１０９  表示部、１１０  通信アンテナ、１１１  通信インタフェース部、１１２  記憶部、２００  携帯端末、２０１  放送アンテナ、２０２  チューナ部、２０３  ＤＥＭＵＸ部、２０４  デコード部、２０５  システム制御部、２０６  番組範囲枠作成部、２０７  操作情報作成部、２０８  装置連携部、２０９  ＥＰＧ作成部、２１０  表示部、２１１  通信アンテナ、２１２  通信インタフェース部、２１３  記憶部、２１４  入力部、３０１  アンテナ、３０２  チューナ、３０３  Ｄｅｃｏｄｅｒチップ、３０５  ＣＰＵ、３０６  ＦＬＡＳＨ−ＲＯＭ、３０７  ＲＡＭ、３０９  モニタ、３１０  アンテナ、３１１  通信インタフェース、３１２  バス、３１３  処理回路、３１４  メモリ、４０１  アンテナ、４０２  チューナ、４０３  Ｄｅｃｏｄｅｒチップ、４０５  ＣＰＵ、４０６  ＦＬＡＳＨ−ＲＯＭ、４０７  ＲＡＭ、４１０  モニタ、４１１  アンテナ、４１２  通信インタフェース、４１４  タッチパネル、４１５  バス、４１６  処理回路、４１７  メモリ、５０１  番組範囲枠、６０１  フォーカス番組情報、６０２  番組範囲枠情報、６０３  スワイプ操作情報、６０４  表示予定情報、６０５  番組範囲枠サイズ。
【図１】
0006587778.tif 000002
【図２】
0006587778.tif 000003
【図３】
0006587778.tif 000004
【図４】
0006587778.tif 000005
【図５】
0006587778.tif 000006
【図６】
0006587778.tif 000007
【図７】
0006587778.tif 000008
【図８】
0006587778.tif 000009
【図９】
0006587778.tif 000010
【図１０】
0006587778.tif 000011
【図１１】
0006587778.tif 000012
【図１２】
0006587778.tif 000013
【図１３】
0006587778.tif 000014
【図１４】
0006587778.tif 000015
【図１５】
0006587778.tif 000016